(57)【特許請求の範囲】
【請求項１】
CPU(Central Processing Unit)と、高周波(RF: Radio Frequency)を使用してアップコンバートされた下向(downstream)信号を一定の周波数を持つIF(Intermediate Frequency)にダウンコンバートする同調器と、同調器から受信した信号の中で特定の帯域の周波数をフィルターリングするソーフィルター(Saw Filter)と、フィルターリングしたIF信号をベースバンド信号に変換させて利得(Gain)を調整する混合器&AGC(Automatic Gain Controller)と、混合器とAGCによって発生した信号の中でローバンド信号の信号だけを通過(pass)させてハイバンド信号を除去するLPF(Low Pass Filter)と、混合器&AGCから受信した信号がいつも一定するように受信信号のレベルを調整する利得制御器(Gain Controller)と、変調された信号を受信して復調することでベースバンド信号を変調される前のディジタル信号に復元する下向復調器(Downstream Demodulator)と、復調された信号たちを制御とデータ用の二つの信号に区分して用途に合わせて制御したりまたはCPUの制御によって上向(upstream)データを送受信機(transceiver)などに出力するメディアアクセス制御器(MAC: Media Access Controller)と、MACから受信した信号を変調してヘッドエンドに伝送する上向変調器(Upstream Modulator)と、変調された上向信号のレベルを調整するプログラム可能減衰器(Programmable Attenuator)と、パイロット信号を発生させるパイロット信号発生器(Pilot Signal Generator)と、通常状態では、前記パイロット信号発生器を前記同調器および前記CPU から切り離し、かつ、前記ヘッドエンドが要求するときには、前記パイロット信号発生器を前記同調器および前記CPU と接続するスイッチング手段(617)(618)と、を含み、
上記のパイロット信号発生器は、高周波上向パイロット信号を発生させる発振器(Oscillator)と、上記の高周波上向パイロット信号を所望の周波数に逓倍して上記の逓倍された上向パイロット信号を出力する逓倍器(Multiplier)と、制御信号によって逓倍された上向パイロット信号のレベルを制御して逓倍された上向パイロット信号を一定のレベルに維持させるレベル制御器(Level Controller)と、ＢＰＦ上向パイロット信号を出力するAGC(Automatic Gain Controller)と、制御された上向パイロット信号を増幅して上記のレベル制御された上向パイロット信号を出力する高周波増幅器(Radio Frequency Amplifier)と、高周波増幅器から受信した上向パイロット信号だけを通過させるBPF(Band Pass Filter)と、を具備する両方向サービスをするHFC網(Hybrid Fiber and Coax Network)のケーブルモデム。
【請求項２】
上記のパイロット信号発生器はツリー(Tree)構造の最後のセル(Cell)にある多数の端末の中で一つの端末だけに具備される請求項1記載の両方向サービスをするHFC網のケーブルモデム。
【請求項３】
上記のパイロット信号発生器はパイロット信号の要らない時には信号たちの間に干渉しないようにオフ(Off)されている請求項1記載の両方向サービスをするHFC網のケーブルモデム。
【請求項４】
必要な時、ヘッドエンドで上記のパイロット信号発生器にパイロット信号の発生を要請する請求項1記載の両方向サービスをするHFC網のケーブルモデム。
【請求項５】
上記の高周波増幅器は上記のパイロット信号発生器の信号を利用してAGCを学習する請求項1記載の両方向サービスをするHFC網のケーブルモデム。
【請求項６】
上記のパイロット信号発生器は一定の値のパイロット信号を発生させる請求項1記載の両方向サービスをするHFC網のケーブルモデム。
【請求項７】
上記のヘッドエンドが受信した上向データ信号は一定のレベルを維持する請求項4記載の両方向サービスをするHFC網のケーブルモデム。
【請求項８】
上記のパイロット信号発生器は上記の上向パイロット信号のレベルを制御する手段を具備する請求項1記載の両方向サービスをするケーブルモデム。
【請求項９】
上記のパイロット信号発生器はパイロット信号の要請信号が外部ヘッドエンドからモデムに受信された場合だけにパイロット信号を発生する請求項1記載の両方向サービスをするケーブルモデム。
【請求項１０】
上記のモデムは下向信号を変調する下向変調機をさらに含める請求項1記載の両方向サービスをするケーブルモデム。
【発明の詳細な説明】
【０００１】
【発明の属する技術分野】
本発明はＨＦＣ網（Ｈｙｂｒｉｄ  Ｆｉｂｅｒ  ａｎｄ  Ｃｏａｘ  Ｎｅｔｗｏｒｋ）とケーブルモデム（Ｃａｂｌｅ  Ｍｏｄｅｍ）に関したもので、特に信号伝送（ｓｉｇｎａｌ  ｔｒａｎｓｍｉｓｓｉｏｎ）の安定化のためにレベル検出用の信号としてパイロット信号（Ｐｉｌｏｔ  Ｓｉｇｎａｌ）を利用する両方向増幅器（Ｂｉｄｉｒｅｃｔｉｏｎａｌ  Ａｍｐｌｉｆｉｅｒ）に関する。
【０００２】
【従来の技術】
図１は従来のＨＦＣ網の構成を説明している。ＨＦＣ網は、信号を伝送路に送出し、両方向システムの場合には全ての信号を集中させる送受信機の一種のヘッドエンド１００  （Ｈｅａｄ  ｅｎｄ）、光信号を光網終端装置まで伝達する光線路（Ｏｐｔｉｃ  Ｆｉｂｅｒ）、光線路を通してヘッドエンドから入力される光信号を既存の電気的な信号に変換させる光網終端装置（ＯＮＵ：  Ｏｐｔｉｃａｌ  Ｎｅｔｗｏｒｋ  Ｕｎｉｔ）１０１、信号の強度を一定の水準まで保障する増幅器１０２、ケーブルモデムのように使用者が利用するホーム（ＨＯＭＥ）端末などから構成される。
【０００３】
現在のＨＦＣ網ではヘッドエンド１００からＯＮＵ１０１に下向信号（Ｄｏｗｎｓｔｒｅａｍ  Ｓｉｇｎａｌ）を伝送する時、一般的に４５１．２５ＭＨｚのパイロット信号が発生され、この信号で、長距離ケーブルの広範な設置によって発生されるレベルの変動が吸収できるようになってある。
【０００４】
一般的にヘッドエンド１００で信号を下向させる時は国家の標準によってわずかの差があるが、５０ＭＨｚから８６０ＭＨｚの間の周波数帯域を使う。
【０００５】
ＨＦＣ網の場合、多くの中間増幅器１０２を使う。しかし長距離であるほど最終端末で受けるレベルの変動が大きい。それで、中間で増幅器１０２を使い、その増幅器に自動利得調節機能を附与している。
【０００６】
図２での説明のように従来のケーブルモデムの構成はソーフィルター２００、混合器＆ＡＧＣ２０１、ＬＰＦ２０２、同調器（Ｔｕｎｅｒ）２０３、利得制御器（Ｇａｉｎ  Ｃｏｎｔｒｏｌｌｅｒ）２０４、下向復調器２０５、メディアアクセス制御器（Ｍｅｄｉａ  Ａｃｃｅｓｓ  Ｃｏｎｔｒｏｌｌｅｒ）２０６、プログラム可能減衰器２０７、上向変調器２０８、ＣＰＵ２０９などから構成される。
【０００７】
同調器２０３は高周波（ＲＦ：  Ｒａｄｉｏ  Ｆｒｅｑｕｅｎｃｙ）を使ってアップコンバートされた下向信号を一定の周波数を持つＩＦ（Ｉｎｔｅｒｍｅｄｉａｔｅ  Ｆｒｅｑｕｅｎｃｙ）にダウンコンバートする物で、北米方式の場合、約５４ＭＨｚ〜８６０ＭＨｚで入力される任意のＲＦ信号を全部４３．７５ＭＨｚの単一帯域のＩＦ信号に変換させる。
【０００８】
利得制御器２０４は受信された信号がいつも一定するように受信信号のレベルを調整する。
【０００９】
下向復調器２０５は変調された信号を受信して復調することによって、ベースバンド（ｂａｓｅ  ｂａｎｄ）信号を変調される前のディジタル信号に復元する。
【００１０】
メディアアクセス制御器（Ｍｅｄｉａ  Ａｃｃｅｓｓ  Ｃｏｎｔｒｏｌｌｅｒ）２０６はメディアアクセス（ｍｅｄｉａ  ａｃｃｅｓｓ）と関連して、復調された信号たちを制御とデータ用の二つの信号に区分して用途に合わせて制御したりまたはＣＰＵの制御にしたがってデータをイーサネット送受信機（ｅｔｈｅｒｎｅｔ  ｔｒａｎｓｃｅｉｖｅｒ）などに出力する。
【００１１】
上向変調器２０８はヘッドエンドに伝送しようとする信号を変調する。
【００１２】
混合器＆ＡＧＣ２０１は４３．７５ＭＨｚのＩＦ信号をベースバンド、つまり、６ＭＨｚの信号に変換させて利得（Ｇａｉｎ）を調整する。
【００１３】
ＬＰＦ２０２は混合器によって発生した信号の中でローバンド（ｌｏｗ  ｂａｎｄ）信号（６ＭＨｚ）の信号だけを通過（ｐａｓｓ）させてハイバンド（ｈｉｇｈ  ｂａｎｄ）信号を除去するフィルターである。
【００１４】
ＣＰＵはモデムの全般的な動作を制御する。
【００１５】
プログラム可能減衰器２０７は変調された信号のレベルを調整する。
【００１６】
図３は従来の下向線路に対するパイロット信号の周波数帯域を示す。下向信号のレベル検出用の信号として４５１．２５ＭＨｚのパイロット信号を使用することが一般的で、場合によっては７３ＭＨｚを使用して高域または低域の両側の変動を吸収する第２パイロットを使用することもある。
【００１７】
【発明が解決しようとする課題】
従来の構造は以上のように構成されているので、一つの方向のレベル制御だけをサービスするようになる。つまり、下向信号に対するレベルの変動だけを考慮するという問題点がある。
【００１８】
そのレベルの変動に対する解決策として、下向パイロット信号を利用して中間増幅器を自動利得調節することで増幅器の出力レベルを一定にする。そうすることで最端末で均一なレベルが処理できる。しかしＨＦＣ網で両方向をサービスする場合、下向信号だけでなく上向信号も大切である。両方向サービスが提供される現時点でこの上向伝送の安定化に対するパイロット信号はない。
【００１９】
上向信号が大切であることは明白で、そうした上向信号に対して各国家の規格によって均一な信号レベルを提供すべきである。さらに上向信号はイングレズノイズ（Ｉｎｇｒｅｓｓ  Ｎｏｉｓｅ）のような成分による影響を受けるのでもっと制御にあたって厳格にすべきである。
【００２０】
したがって、本発明は上記のような問題点を解決するためのもので、上向信号と下向信号に対する自動利得調節のできる両方向増幅器を使って、線路を安定化して両方向サービスができるようにするために、上向パイロット信号を利用したケーブルＨＦＣ網のための両方向幹線増幅器及び  ＨＦＣ網のケーブルモデムを提供することを目的にする。
【００２１】
本発明の他の目的は、既存のケーブルモデムにパイロット信号発生器とスイッチを含めて両方向サービスができる状態で、ケーブルモデムが上向パイロット信号を提供してその信号を増幅器が自動利得調節するとヘッドエンドから各端末へ行く上向パイロット信号を均一に受けるようにすることである。
【００２２】
本発明は多様に変形できるし、色々な形態が取れるが、それによる特別な実施例だけが上記の図面に図示されでおり、それに対しては詳細に記述される。しかし、本発明は明細書で言及された特別な形態に限定されることではないものと理解されるべきであり、むしろ本発明は添附された請求範囲によって正義された本発明の精神の範囲の内にある全ての変形物、均等物及び代替物を含めるものと理解されるべきである。
【００２３】
【課題を解決するための手段】
上記の目的を達成するための、本発明による両方向サービスをするＨＦＣ網のケーブルモデムの望ましい一実施例は、ＣＰＵ、ソーフィルター（Ｓａｗ  Ｆｉｌｔｅｒ）、混合器（Ｍｉｘｅｒ）＆ＡＧＣ、ＬＰＦ、同調器（Ｔｕｎｅｒ）、利得制御器、下向復調器、上向変調器、メディアアクセス制御器（Ｍａｃ  Ｃｏｎｔｒｏｌｌｅｒ）、中央処理装置、プログラム可能減衰器（Ｐｒｏｇｒａｍｍａｂｌｅ  Ａｔｔｅｎｕａｔｏｒ）、パイロット信号発生器（Ｐｉｌｏｔ  Ｓｉｇｎａｌ  Ｇｅｎｅｒａｔｏｒ）と、上記の中央処理装置の制御によって上記の同調器とパイロット信号発生器を連結するスイッチ（Ｓｗｉｔｃｈ）と、を含める。
【００２４】
上記のパイロット信号発生器は、高周波上向パイロット信号を発生させる発振器（Ｏｓｃｉｌｌａｔｏｒ）と、上記の高周波上向パイロット信号を所望の周波数に逓倍して上記の逓倍された上向パイロット信号を出力する逓倍器（Ｍｕｌｔｉｐｌｉｅｒ）と、制御信号によって逓倍された上向パイロット信号のレベルを制御して逓倍された上向パイロット信号を一定のレベルに維持させるレベル制御器（Ｌｅｖｅｌ  Ｃｏｎｔｒｏｌｌｅｒ）と、ＢＰＦ上向パイロット信号を出力するＡＧＣ（Ａｕｔｏｍａｔｉｃ  Ｇａｉｎ  Ｃｏｎｔｒｏｌｌｅｒ）と、制御された上向パイロット信号を増幅して上記のレベル制御された上向パイロット信号を出力する高周波増幅器（Ｒａｄｉｏ  Ｆｒｅｑｕｅｎｃｙ  Ａｍｐｌｉｆｉｅｒ）と、高周波増幅器から受信した上向パイロット信号だけを通過させるＢＰＦ（Ｂａｎｄ  Ｐａｓｓ  Ｆｉｌｔｅｒ）と、を具備する。
【００２５】
本発明において、上記のパイロット信号発生器はツリー（Ｔｒｅｅ）構造の最後のセル（Ｃｅｌｌ）にある多数の端末の中で一つの端末だけに具備される。そして上記のパイロット信号発生器はパイロット信号の要らない時には信号たちの間に干渉しないようにオフされている。
【００２６】
ヘッドエンドから必要な時、上記のパイロット信号発生器にパイロット信号発生を要請し、上記の高周波増幅器は上記のパイロット信号発生器の信号を利用してＡＧＣを学習する。
【００２７】
端末の上記のケーブルモデムは一定のパイロット信号を発生させ、上記のヘッドエンドが受信した上向データ信号は一定の信号レベルを維持する。また上向信号の安定した信号を提供するために両方向増幅器はＡＧＣを学習する。
【００２８】
本発明による両方向サービスをするＨＦＣ網のための両方向幹線増幅器の望ましい実施例は、下向信号と上向信号を分離するＤＦ（Ｄｉｒｅｃｔｉｏｎ  Ｆｉｌｔｅｒ）と、スロープを調整して自動利得を調整するレベル制御部と、同軸ケーブルの周波数特性とほとんど等化の特性を持つ減衰器をもって同軸ケーブルの減衰量を補正して入力レベルを整合させるＰＡＤと、ＰＡＤから信号を受信して線路上で生じた周波数の偏差を補正する等化器（Ｅｑｕａｌｉｚｅｒ）と、上記の等化された信号を一定のレベルに増幅する増幅器と、を含めて成る。
【００２９】
本発明において、上記のレベル制御部は増幅器から受信した利得信号を調整する利得部と、利得部から受信したスロープ信号を制御するスロープ部と、利得とスロープを調整した信号を増幅する増幅器（Ａｍｐｌｉｆｉｅｒ）部と、上記の信号を主信号と副信号に分離する方向性スプリッターと、利得部とスロープ部を制御するＡＧＣ＆ＡＳＣ（Ａｕｔｏｍａｔｉｃ  Ｓｌｏｐｅ  Ｃｏｎｔｒｏｌｌｅｒ）制御部と、を具備して成る。
【００３０】
そして、上記の増幅器は幹線増幅器と全ての両方向増幅器に適用ができ、上向伝送路の安定化のために上向用パイロット信号を使う。この他に両方向増幅器の上向に対してもＡＧＣを学習し、ケーブルモデムに追加されたパイロット信号発生器は一定のパイロット信号を提供する。
【００３１】
上向パイロット信号の場合、上向周波数帯域でパイロット信号を選び使って端末に均一なレベルの上向信号を端末機に提供し、上記のケーブルモデムはヘッドエンドの要求がある時だけにパイロット信号を発生する。
【００３２】
上記のケーブルモデムはＵＰＳを発生するＰＳＧ（Ｐｉｌｏｔ  Ｓｉｇｎａｌ  Ｇｅｎｅｒａｔｏｒ）と、ＵＰＳを含める上向信号を変調する変調機を含めるモデムと、から成る。
【００３３】
上記のＰＳＧは上記のＵＰＳのレベルを制御する手段を具備し、パイロット信号の要請信号が外部ヘッドエンドからモデムに受信された場合だけにパイロット信号を発生する。
【００３４】
上記のＰＳＧはＵＰＳ（Ｕｐｓｔｒｅａｍ  Ｐｉｌｏｔ  Ｓｉｇｎａｌ）を出力する高周波増幅器（Ｒａｄｉｏ  Ｆｒｅｑｕｅｎｃｙ  Ａｍｐｌｉｆｉｅｒ）と、レベル制御信号を出力するＡＧＣ（Ａｕｔｏｍａｔｉｃ  Ｇａｉｎ  Ｃｏｎｔｒｏｌｌｅｒ）と、増幅されたＵＰＳを一定のレベルに維持するレベル制御器（Ｌｅｖｅｌ  Ｃｏｎｔｒｏｌｌｅｒ）と、一定のレベルに増幅されたＵＰＳを望む周波数に逓倍して逓倍された信号を出力する逓倍器（Ｍｕｌｔｉｐｌｉｅｒ）と、逓倍された信号を望む周波数帯域に変換する発振器（Ｏｓｃｉｌｌａｔｏｒ）と、から成る。
【００３５】
上記のモデムは下向信号を変調する下向変調機をさらに含める。
【００３６】
上記の増幅器はＵＰＳを受信する手段と、上記のＵＰＳレベルによって上向信号のレベルを制御するレベル制御機と、を具備する
【００３７】
上記の増幅器は下向信号と上向信号を分離する方向フィルタ（ＤＦ）と、上記の下向信号に含まれた下向パイロット信号によって下向信号のレベルを制御し、上向パイロット信号によって上向信号のレベルを制御するレベル制御機を含める。
【００３８】
【発明の実施の形態】
以下、図４を参照してＨＦＣ網を説明する。上向パイロット信号と下向パイロット信号に対する自動利得調節ができる両方向増幅器４０２を少なくとも一つ以上ＨＦＣ網に設置する。そして上向信号の安定した信号を提供するために既存の上記の両方向増幅器４０２を使用して自動利得調節を学習する。そうすることでヘッドエンド４００はいつも一定のレベルの信号を受信する。
【００３９】
ＨＦＣ網では、ＯＮＵ４０１とホーム（ＨＯＭＥ）端末４０３の距離が遠いので、端末から必要とする大きさ以上の信号をいつも供給するために増幅器を使う。線路が長ければ長いほど多くの増幅器を使わなければならない。なぜならば線路が長い分、線路の損失が発生するからである。
【００４０】
したがって信号を一定に維持するために、図５の両方向幹線増幅器の一例からのような装置を使って、既存の下向線路だけに使っていた自動利得調節を上向線路にも使うことで上向線路の安定化が実現できる。
【００４１】
ＤＦ（Ｄｉｒｅｃｔｉｏｎａｌ  Ｆｉｌｔｅｒ）５００は下向信号と上向信号を分離する。ＰＡＤ５０１は同軸ケーブルの周波数特性とほとんど同等な特性を持つ減衰器であって、吸収などの緩衝作用をして同軸ケーブルの減衰量を補正し、入力レベルを整合させる。
【００４２】
等化器（Ｅｑｕａｌｉｚｅｒ）５０２は線路上で生じた周波数の偏差を補正する。
【００４３】
増幅器５０３は上記の偏差が補正された信号を一定のレベルに増幅させる。
【００４４】
レベル制御部５０４は増幅された信号に対してスロープ調整５０６とＡＧＣ＆ＡＳＣ機能５０９を学習する。
【００４５】
上下対称の上記の図面で上の部分は下向信号の場合を、下の部分は上向信号の場合の信号を処理する。
【００４６】
このような回路は幹線増幅器だけでなく全ての両方向増幅器にも適用できる。
【００４７】
図６を参照してケーブルモデムを説明する。既存のケーブルモデムに上向パイロット信号発生器６１０を設置する。パイロット信号発生器６１０において、パイロット信号は発振器６１５から出力される。発振器６１５が接地されていると、どのような信号も同調器６０３に供給されない。しかし、発振器６１５と接地とがインバータ６１８によってオープンされる場合、即ち、上記発振器６１５が接地されていない場合、発振器６１５から出力された信号は、インバータ６１８とスイッチ６１７とを通過して、上記同調器６０３に供給される。上記の過程は、ＣＰＵ６０９によって制御される。この時、上向パイロット信号発生器とケーブルモデムの出力は上記のＣＰＵ６０９によって制御される。そして普段の時、信号たちの間に干渉する可能性のあるパイロット信号発生器６１０は消しておく。パイロット信号がノイズの原因になることがあるので、いつもパイロット信号が必要なわけではない。だからケーブルモデムはヘッドエンド４００の要求がある時だけにパイロット信号を発生させる。ヘッドエンド４００でパイロット信号を発生させると、増幅器４０２は信号発生器の信号を利用して上向パイロット信号と下向パイロット信号に対した自動利得調節を学習する。
【００４８】
しかし全ての端末でパイロット信号発生器を内蔵する必要はない。ツリー構造（Ｔｒｅｅ  Ｓｔｒｕｃｔｕｒｅ）の最後のセル（Ｃｅｌｌ）の中で一つだけでもパイロット信号が発生できるなら、その終端グループ（Ｅｎｄ  Ｇｒｏｕｐ）の増幅器は利得調整が学習できる。
【００４９】
ヘッドエンドがパイロット信号の発生を要請した場合、発振器６１５は、高周波上向パイロット信号を発生させる。発振器６１５は、上記の上向パイロット信号を一定の周波数の値で発振するが、上記の発振器６１５の制御はＣＰＵ６０９を通して行われる。逓倍器６１４は、上記の高周波上向パイロット信号を所望の周波数に逓倍して望む周波数を発生させる。レベル制御部６１３は、逓倍された上向パイロット信号を一定のレベルに維持する。高周波増幅器６１２は、レベル制御された上向パイロット信号を増幅する。ＢＰＦ６１１は、高周波増幅器から受信した上向パイロット信号だけを通過させるようフィルターリングする。ＡＧＣ６１６は、ＢＰＦ６１１の出力信号に基づいて、レベル制御部６１３の利得（Ｇａｉｎ）を自動で制御して、レベル制御部６１３がいつも一定の信号を発生するようにする。
【００５０】
使用する周波数帯域は、図７のように上向周波数帯域と下向周波数帯域を設定して使う。上記の上向パイロット信号は５ＭＨｚから４２ＭＨｚの間の、比較的に低周波数帯域の中で望む規格によって使う。
【００５１】
【発明の効果】
上記のように動作する本発明は、大切な上向信号の均一なレベルを提供するために上向信号に対する自動利得調節ができる両方向増幅器を構成したので、上向線路の安定化をいつも向上させることができる。
【図面の簡単な説明】
【図１】従来技術によるＨＦＣ網の構成図である。
【図２】従来技術によるケーブルモデムの構成図である。
【図３】従来技術の下向線路に対するパイロット信号の周波数帯域図である。
【図４】本発明によるＨＦＣ網の構成図である。
【図５】本発明による上向信号に対する自動利得調節ができる両方向幹線増幅器の構成図である。
【図６】本発明によるケーブルモデムの構成図である。
【図７】本発明による上向周波数帯域で選択された上向パイロット信号の周波数帯域図である。
【符号の説明】
１００，４００……ヘッドエンド（ｈｅａｄｅｎｄ）
１０１，４０１……光網終端装置（Ｏｐｔｉｃａｌ  Ｎｅｔｗｏｒｋ  Ｕｎｉｔ）
１０２，４０２……両方向増幅器
１０３，４０３……ホーム（Ｈｏｍｅ）端末
２００，６００……ソーフィルター（ＳＡＷ  ｆｉｌｔｅｒ）
２０１，６０１……混合器（Ｍｉｘｅｒ）／ＡＧＣ
２０２，６０２……ローパスフィルター（Ｌｏｗ  Ｐａｓｓ  Ｆｉｌｔｅｒ）
２０３，６０３……同調器（Ｔｕｎｅｒ）
２０４，６０４……利得制御器（Ｇａｉｎ  Ｃｏｎｔｒｏｌｌｅｒ）
２０５，６０５……下向復調器（Ｄｏｗｎｓｔｒｅａｍ  Ｄｅｍｏｄｕｌａｔｏｒ）
２０６，６０６……ＭＡＣ制御器（Ｍｅｄｉａ  Ａｃｃｅｓｓ  Ｃｏｎｔｒｏｌｌｅｒ）
２０７，６０７……プログラム可能減衰器（Ｐｒｏｇｒａｍｍａｂｌｅ  ａｔｔｅｎｕａｔｏｒ）
２０８，６０８……上向変調器（Ｕｐｓｔｒｅａｍ  Ｍｏｄｕｌａｔｏｒ）
２０９，６０９……ＣＰＵ
５００……方向性フィルター（Ｄｉｒｅｃｔｉｏｎａｌ  Ｆｉｌｔｅｒ）
５０１……減衰器（ＰＡＤ）
５０２……等化器（Ｅｑｕａｌｉｚｅｒ）
５０３，５０７……増幅器（Ａｍｐｌｉｆｉｅｒ）
５０４……レベル制御部（Ｌｅｖｅｌ  Ｃｏｎｔｒｏｌｌｅｒ）
５０５……利得制御器（Ｇａｉｎ  Ｃｏｎｔｒｏｌｌｅｒ）
５０６……スロープ制御部（Ｓｌｏｐｅ  Ｃｏｎｔｒｏｌｌｅｒ）
５０８……方向性スプリッター（Ｄｉｒｅｃｔｉｏｎａｌ  Ｓｐｌｉｔｔｅｒ）
５０９……ＡＧＣ＆ＡＳＣ（Ａｕｔｏｍａｔｉｃ  Ｓｌｏｐｅ  Ｃｏｎｔｒｏｌ）
６１０……パイロット信号発生器（Ｐｉｌｏｔ  ｓｉｇｎａｌ  Ｇｅｎｅｒａｔｏｒ）
６１１……バンドパスフィルター（Ｂａｎｄ  Ｐａｓｓ  Ｆｉｌｔｅｒ）
６１２……高周波増幅器（Ｒａｄｉｏ  Ｆｒｅｑｕｅｎｃｙ  Ａｍｐｌｉｆｉｅｒ）
６１３……レベル制御器（Ｌｅｖｅｌ  Ｃｏｎｔｒｏｌｌｅｒ）
６１４……逓倍器（Ｍｕｌｔｉｐｌｉｅｒ）
６１５……発振器（Ｏｓｃｉｌｌａｔｏｒ）
６１６……ＡＧＣ
６１７……スイッチ（ｓｗｉｔｃｈ）
【図１】
0003592942.tif 000002
【図２】
0003592942.tif 000003
【図３】
0003592942.tif 000004
【図４】
0003592942.tif 000005
【図５】
0003592942.tif 000006
【図６】
0003592942.tif 000007
【図７】
0003592942.tif 000008